(57)【要約】【課題】  排水溝を元の地面に対する深さを深く且つ幅広に形成できるようにするとともに、排水溝の土壌の押えを確実にして崩れにくくし、排水溝からの排水を十分に行なうことができるようにして排水効率の向上を図る。【解決手段】  水田の土壌に対して作物に係る埋設物を埋設する水田作業機に設けられ水田作業機の走行により土壌表面に排水溝を形成する水田作業機の排水溝形成装置Ｓにおいて、水田作業機に設けられるベース体１と、ベース体１に設けられ水田作業機の走行により移動させられて土壌を押しのけて土壌表面に下地溝を形成する第一作溝体１０と、ベース体１の第一作溝体１０より走行方向後側に設けられ第一作溝体１０により形成された下地溝の土壌を更に押しのけて排水溝に整形する第二作溝体２０とを備えて構成した。【選択図】図１
2010124775.tif 000002
【特許請求の範囲】
【請求項１】
水田の土壌に対して作物に係る埋設物を埋設する水田作業機に設けられ該水田作業機の走行により土壌表面に排水溝を形成する水田作業機の排水溝形成装置において、
上記水田作業機に設けられるベース体と、該ベース体に設けられ上記水田作業機の走行により移動させられて土壌を押しのけて土壌表面に下地溝を形成する第一作溝体と、上記ベース体の上記第一作溝体より走行方向後側に設けられ該第一作溝体により形成された下地溝の土壌を更に押しのけて排水溝に整形する第二作溝体とを備えて構成したことを特徴とする水田作業機の排水溝形成装置。
【請求項２】
上記第一作溝体及び第二作溝体を、傾斜した前端を有した船型形状に形成したことを特徴とする請求項１記載の水田作業機の排水溝形成装置。
【請求項３】
上記第一作溝体及び第二作溝体の少なくとも何れか一方の前端を、進行方向に対面する平面状に形成したことを特徴とする請求項２記載の水田作業機の排水溝形成装置。
【請求項４】
上記ベース体に、上記第一作溝体の上端の前側及び左右側に延在し該第一作溝体によって押しのけられた土壌を押える押え面を形成したことを特徴とする請求項１乃至３何れかに記載の水田作業機の排水溝形成装置。
【請求項５】
上記第二作溝体を、上記ベース体の後端部に設け、該第二作溝体の上端の左右側に該第二作溝体によって押しのけられる土壌を押えるウイングを設けたことを特徴とする請求項１乃至４何れかに記載の水田作業機の排水溝形成装置。
【請求項６】
上記第二作溝体を、進行方向に向けて投影した投影面が、下端が尖った三角形状になるように側面を傾斜形成し、上記ウイングの外面を上記側面の延長面に沿わせて形成したことを特徴とする請求項５記載の水田作業機の排水溝形成装置。
【請求項７】
上記水田作業機は、土壌表面に押し付けられて該土壌表面を均す平面状の下面を有し走行方向に沿う中心線に対して左右対称のフロートを備え、上記ベース体を上記フロートで構成するとともに、上記第一作溝体及び第二作溝体を上記フロートの中心線上に配置したことを特徴とする請求項１乃至６何れかに記載の水田作業機の排水溝形成装置。
【請求項８】
上記水田作業機は、土壌に没入され走行により移動させられて土壌表面に埋設物を埋設することが可能な埋設物溝を形成し所定間隔で離間した一対の埋設物作溝体を備え、該一対の埋設物作溝体を上記フロートからなるベース体にその中心線を挟んで左右対称位置に設けたことを特徴とする請求項７記載の水田作業機の排水溝形成装置。
【請求項９】
上記フロートとしてのベース体を、一端が水田作業機に取り付けられる棒状の取付部材の他端に支持したことを特徴とする請求項７または８記載の水田作業機の排水溝形成装置。
【発明の詳細な説明】
【技術分野】
【０００１】
本発明は、水田の土壌に対して作物に係る埋設物を埋設する播種機や施肥機等の水田作業機に設けられ、水田作業機の走行により土壌表面に排水溝を形成する水田作業機の排水溝形成装置に関する。
【背景技術】
【０００２】
従来、この種の水田作業機の排水溝形成装置としては、例えば、特許文献１（特開２００１−１４８９１１号公報）に掲載されたものが知られている。図１２に示すように、この排水溝形成装置Ｓａは、例えば、埋設物としての稲の種を播種する水田作業機Ｗａに設けられている。この水田作業機Ｗａは、水田の土壌表面に押し付けられて土壌表面を均す平面状の下面を有したフロート１２０を４つ備えており、このフロート１２０の下面には、土壌に没入され水田作業機Ｗａの走行により移動させられて土壌表面に稲の種を埋設する埋設物溝を形成する埋設物作溝体（図示せず）が設けられている。
排水溝形成装置Ｓａは、背面視Ｍ字型に形成されたプレートにより構成され、左右中央の下向きに折り曲げられた作溝体１００と、左右両端の下向きに延びた規制部１１０とを備えて構成されており、水田作業機Ｗａの後部に棒状のアーム１２１を介して取り付けられている。アーム１２１は、水田作業機Ｗａの進行方向に対して左右方向に延びる機枠１２２に、その一端１２１ａが着脱可能に取り付けられており、その他端１２１ｂ側に排水溝形成装置Ｓａが設けられている。また、排水溝形成装置Ｓａは、水田作業機Ｗａの複数のフロート１２０の間に位置するように、水田作業機Ｗａの機枠１２２にアーム１２１を介して取り付けられている。この状態では、排水溝形成装置Ｓａは、その前端１０１が後端１０２よりも土壌表面に対して上方に位置するようになる。
【０００３】
そして、この水田作業機Ｗａにより、稲の種の播種を行なうときは、水田作業機Ｗａを駆動させて土壌表面を走行させる。水田作業機Ｗａを走行させると、フロート１２０が移動し、これによって、フロート１２０の下面に設けられた埋設物作溝体（図示せず）が土壌を押しのけていくようになり、埋設物作溝体（図示せず）の移動経路に埋設物溝が形成されるとともに、この埋設物溝に稲の種が入れられて播種が行なわれる。
また、この水田作業機Ｗａの走行においては、排水溝形成装置Ｓａが移動させられ、この移動によって、排水溝形成装置Ｓａの作溝体１００がその進行方向左右に土壌を押しのけるようになり、作溝体１００の移動経路に排水溝Ｄａが形成されていく。このとき、作溝体１００によってその進行方向左右に押しのけられた土壌を規制部１１０が受け止めるようになり、押しのけられた土壌が作溝体１００と規制部１１０との間に溜まっていくので、押しのけられた土壌が排水溝形成装置Ｓａの進行方向左右外方へ移動することが防止される。
【０００４】
【特許文献１】特開２００１−１４８９１１号公報
【発明の開示】
【発明が解決しようとする課題】
【０００５】
しかしながら、この従来の水田作業機の排水溝形成装置Ｓａにおいては、形成される排水溝Ｄａが所要のものにならず、排水溝Ｄａからの排水効率に劣るという問題があった。これは、図１３に示すように、排水溝形成装置Ｓａは、アーム１２１の他端１２１ｂ側に取り付けられているので、土壌を押しのけていく際、浮き上がりやすく、そのため、規制部１１０で押えてはいるものの、排水溝Ｄａが元の地面ＧＬに対しては、どうしても深さが浅く且つ幅が狭く形成されるとともに、土壌の押えも不十分になって崩れやすくなってしまうからである。排水溝１００からの排水が十分に行なわれないと、埋設物溝の排水が十分に行なわれなくなり、そのため、埋設物の水分調整が不十分になって、埋設物の育成に支障がでる。
【０００６】
本発明は、このような問題点に鑑みてなされたもので、排水溝を元の地面に対する深さを深く且つ幅広に形成できるようにするとともに、排水溝の土壌の押えを確実にして崩れにくくし、排水溝からの排水を十分に行なうことができるようにして排水効率の向上を図った水田作業機の排水溝形成装置を提供することを目的とする。
【課題を解決するための手段】
【０００７】
このような目的を達成するため、本発明の水田作業機の排水溝形成装置は、水田の土壌に対して作物に係る埋設物を埋設する水田作業機に設けられ該水田作業機の走行により土壌表面に排水溝を形成する水田作業機の排水溝形成装置において、上記水田作業機に設けられるベース体と、該ベース体に設けられ上記水田作業機の走行により移動させられて土壌を押しのけて土壌表面に下地溝を形成する第一作溝体と、上記ベース体の上記第一作溝体より走行方向後側に設けられ該第一作溝体により形成された下地溝の土壌を更に押しのけて排水溝に整形する第二作溝体とを備えて構成している。
【０００８】
これにより、水田の土壌表面を水田作業機が走行すると、ベース体が移動させられ、この移動によって、先ず、第一作溝体が土壌を押しのけていき、これによって土壌表面に下地溝が形成される。次に、第一作溝体の走行方向後側に設けられた第二作溝体が、下地溝の土壌を更に押しのけていき、これによって下地溝が排水溝に整形される。そのため、排水溝は、下地溝を作ってから、これを整形して形成されるので、即ち、排水溝は、第一作溝体及び第二作溝体により土壌が二度押しのけられて形成されるので、排水溝を元の地面に対する深さを深く且つ幅広に形成できるとともに、排水溝の土壌の押えが確実になって綺麗に整形されて崩れにくくなる。このため、排水溝が所要のものになって、この排水溝からの排水を十分に行なうことができるようになり、排水効率が向上させられる。この結果、埋設物の水分調整を確実に行なうことができ、埋設物の育成を促進させることができる。
【０００９】
また、第一作溝体及び第二作溝体は、土壌を二度押しのけて排水溝を形成することになるので、大きな作溝体で一度に土壌を押しのけて排水溝を形成する場合に比較して、第一作溝体及び第二作溝体夫々における土壌に対する抵抗を小さくすることができ、そのため、作溝効率を向上させることができる。
【００１０】
そして、必要に応じ、上記第一作溝体及び第二作溝体を、傾斜した前端を有した船型形状に形成した構成としている。これにより、第一作溝体及び第二作溝体の前端が土壌に接して、土壌を押しのけていくようになるが、この前端を傾斜形成することにより、第一作溝体及び第二作溝体夫々における土壌に対する抵抗を小さくすることができ、そのため、作溝効率を向上させることができる。
【００１１】
また、必要に応じ、上記第一作溝体及び第二作溝体の少なくとも何れか一方の前端を、進行方向に対面する平面状に形成した構成としている。これにより、押しのけられた土壌が、第一作溝体及び第二作溝体の前端の進行方向前側に移動させられて土壌の下側に押し付けられるようになるので、より一層排水溝の土壌の押えが確実になって綺麗に整形されて崩れにくくなる。
【００１２】
更に、必要に応じ、上記ベース体に、上記第一作溝体の上端の前側及び左右側に延在し該第一作溝体によって押しのけられた土壌を押える押え面を形成した構成としている。これにより、第一作溝体によって押しのけられ、第一作溝体の前端の進行方向前側及び左右側に移動させられた土壌が押え面により押えつけられるようになるので、押しのけられた土壌が下地溝に入り込んで戻る事態を抑制することができ、そのため、より一層深さを深く且つ幅広に形成できるとともに、下地溝の土壌の押えが確実になって綺麗に整形される。
【００１３】
更にまた、必要に応じ、上記第二作溝体を、上記ベース体の後端部に設け、該第二作溝体の上端の左右側に該第二作溝体によって押しのけられる土壌を押えるウイングを設けた構成としている。これにより、第二作溝体で押しのけられ、第二作溝体の前端の進行方向左右側に移動させられた土壌を、ウイングが押えるようになるので、押しのけられた土壌が排水溝に入り込んで戻る事態を抑制することができ、より一層排水溝の土壌の押えが確実になって綺麗に整形されて崩れにくくなる。
【００１４】
そして、また、必要に応じ、上記第二作溝体を、進行方向に向けて投影した投影面が、下端が尖った三角形状になるように側面を傾斜形成し、上記ウイングの外面を上記側面の延長面に沿わせて形成した構成としている。これにより、排水溝は、下端が尖ったＶ字形状に整形されるので、水が流れやすく、排水効率を向上させることができ、そのため、埋設物の水分調整を確実に行なうことができ、埋設物の育成を促進させることができる。また、ウイングの外面を側面の延長面に沿わせて形成することにより、より一層排水溝を綺麗に整形することができる。
【００１５】
また、必要に応じ、上記水田作業機は、土壌表面に押し付けられて該土壌表面を均す平面状の下面を有し走行方向に沿う中心線に対して左右対称のフロートを備え、上記ベース体を上記フロートで構成するとともに、上記第一作溝体及び第二作溝体を上記フロートの中心線上に配置した構成としている。これにより、フロートとしてのベース体が土壌表面に押し付けられるようになるので、より確実に排水溝を所要のものに形成することができ、そのため、排水溝を元の地面に対する深さを深く且つ幅広に形成できるとともに、排水溝の土壌の押えが確実になって綺麗に整形されて崩れにくくなる。また、ベース体をフロートで構成しているので、従来のように、排水溝形成装置を、アームを介して水田作業機の後部に取り付けた場合と比較して、排水溝形成装置が水田作業機の後部に然程突出して位置されず、そのため、水田作業機が畦際で旋回するときでも、小回りが利き、そのため、作業効率を向上させることができる。
【００１６】
更に、必要に応じ、上記水田作業機は、土壌に没入され走行により移動させられて土壌表面に埋設物を埋設することが可能な埋設物溝を形成し所定間隔で離間した一対の埋設物作溝体を備え、該一対の埋設物作溝体を上記フロートからなるベース体にその中心線を挟んで左右対称位置に設けた構成としている。これにより、埋設物溝が排水溝の左右に必ず形成されるようになるので、排水溝によって、より確実に埋設物溝の排水が行なわれるようになり、そのため、埋設物の水分調整を確実に行なうことができ、埋設物の育成を促進させることができる。
【００１７】
更にまた、必要に応じ、上記フロートとしてのベース体を、一端が水田作業機に取り付けられる棒状の取付部材の他端に支持した構成としている。これにより、取付部材が上下に撓むので、土壌表面が平坦でなくてもこれに追従でき、ベース体の下面を確実に土壌表面に押し付けることができ、そのため、確実に土壌表面を均すことができる。
【発明の効果】
【００１８】
本発明の水田作業機の排水溝形成装置によれば、排水溝は、下地溝を作ってから、これを整形して形成されるので、即ち、排水溝は、第一作溝体及び第二作溝体により土壌が二度押しのけられて形成されるので、排水溝を元の地面に対する深さを深く且つ幅広に形成できるとともに、排水溝の土壌の押えが確実になって綺麗に整形されて崩れにくくなる。このため、排水溝が所要のものになって、この排水溝からの排水を十分に行なうことができるようになり、排水効率が向上させられる。この結果、埋設物の水分調整を確実に行なうことができ、埋設物の育成を促進させることができる。
【００１９】
また、第一作溝体及び第二作溝体は、土壌を二度押しのけて排水溝を形成することになるので、大きな作溝体で一度に土壌を押しのけて排水溝を形成する場合に比較して、第一作溝体及び第二作溝体夫々における土壌に対する抵抗を小さくすることができ、そのため、作溝効率を向上させることができる。
【発明を実施するための最良の形態】
【００２０】
以下、添付図面に基づいて本発明の実施の形態に係る水田作業機の排水溝形成装置を説明する。
図１乃至図１０には、本発明の実施の形態に係る水田作業機の排水溝形成装置Ｓを示している。本装置Ｓは、水田の土壌に対して作物に係る埋設物Ｔを埋設する播種機や施肥機等の水田作業機Ｗに設けられている。本実施の形態では、水田作業機Ｗは、埋設物Ｔとしての稲の種を播種する周知の播種機で構成されている。この水田作業機Ｗは、土壌表面に押し付けられて土壌表面を均す平面状の下面２ａを有し走行方向に沿う中心線に対して左右対称のフロート１ａを備えている。このフロート１ａは、水田作業機Ｗの後部の機枠Ｆに設けられている。
【００２１】
この水田作業機Ｗに設けられる本装置Ｓは、水田作業機Ｗに設けられるベース体１と、ベース体１に設けられ水田作業機Ｗの走行により移動させられて土壌を押しのけて土壌表面に下地溝を形成する第一作溝体１０と、ベース体１の第一作溝体１０より走行方向後側に設けられ第一作溝体１０により形成された下地溝Ｇの土壌を更に押しのけて排水溝Ｄに整形する第二作溝体２０とを備えて構成されている。
【００２２】
ベース体１は、実施の形態では、上記のフロート１ａで構成されている。このフロート１ａとしてのベース体１は、図１乃至図５及び図７乃至図１０に示すように、一端が水田作業機Ｗの機枠Ｆに取り付けられる棒状の取付部材Ｆａの他端に支持され、この取付部材Ｆａの撓みによってある程度上下動可能になっている。また、ベース体１は、土壌表面に押し付けられて土壌表面を均す平面状の下面２を有した流線型の板状に形成されている。このベース体１は、走行方向に沿う中心線３に対して左右対称に形成されており、ベース体１の下面２の中心線３上に第一作溝体１０及び第二作溝体２０が配置されている。また、ベース体１の下面２であって、第一作溝体１０の上端１１の前側及び左右側に延在する位置は、第一作溝体１０によって押しのけられた土壌を押える押え面１２として形成されている。
【００２３】
第一作溝体１０は、図１乃至図４，図７，図９及び図１０（Ａ）に示すように、傾斜するとともに進行方向に対面する平面状に形成された前端１３を有した船型形状に形成され、ベース体１の下面２の中心線３上にビス４で接続されて設けられている。この第一作溝体１０は、進行方向に向けて投影した投影面１４が、矩形状になるように形成されている。
【００２４】
第二作溝体２０は、図１乃至図３，図５乃至図９及び図１０（Ｃ）に示すように、傾斜するとともに進行方向に対面する平面状に形成された前端２１を有した船型形状に形成され、第一作溝体１０から所望距離離間させられて、ベース体１の後側に突出した断面ハット形の後端部５にビス２２で接続されて設けられている。この第二作溝体２０は、進行方向に向けて投影した投影面２３が、下端が尖った三角形状になるように側面２４が傾斜形成されている。また、この第二作溝体２０の上端２５の左右側に、第二作溝体２０によって押しのけられる土壌を押えるウイング２６が設けられている。このウイング２６は、その外面２６ａが第二作溝体２０の側面２４の延長面に沿わせて形成されている。実施の形態では、ウイング２６は、第二作溝体２０の上端２５に接する底板２６ｂと、この底板２６ｂの進行方向左右両端縁から立ち上がり外面２６ａが第二作溝体２０の側面２４の延長面に沿うように形成された側板２６ｃとを備えて構成され、底板２６ｂが後端部５と第二作溝体２０との間に介装されて第二作溝体２０側からビス２２で後端部５に固定されている。
【００２５】
また、水田作業機Ｗには、図１乃至図３，図９及び図１０（Ｂ）に示すように、土壌に没入され走行により移動させられて土壌表面に埋設物Ｔを埋設することが可能な埋設物溝Ｕを形成し所定間隔で離間した一対の埋設物作溝体３０が設けられている。この埋設物作溝体３０は、第二作溝体２０と相似形且つ第二作溝体２０よりも小さく形成されている。また、この一対の埋設物作溝体３０は、フロート１ａからなるベース体１の下面２に、その中心線３を挟んで左右対称位置に設けられている。更に、この一対の埋設物作溝体３０は、進行方向に沿う方向であって、第一作溝体１０と第二作溝体２０との間に設けられている。尚、水田作業機Ｗには、埋設物作溝体３０が作溝した埋設物溝Ｕに稲の種を播種する周知の播種装置が搭載されており、貯留タンク（図示せず）に貯留した埋設物Ｔとしての稲の種を、埋設物作溝体３０の後側に設けた種子誘導部３１から埋設物溝Ｕ内に投入する。
【００２６】
更に、埋設物作溝体３０の進行方向後側には、図１，図２及び図１０（Ｃ）に示すように、埋設物溝Ｕの上方を通過し、埋設物溝Ｕに土壌を被せる周知の覆土体４０が設けられている。
【００２７】
従って、この水田作業機Ｗにより埋設物Ｔとしての稲の種の播種を行なうときは、水田作業機Ｗを駆動させて土壌表面を走行させる。水田作業機Ｗを走行させると、本実施の形態に係る排水溝形成装置Ｓにおいて、フロート１ａからなるベース体１が水田の土壌表面に当接して移動させられ、この移動によって、先ず、第一作溝体１０の前端１３が土壌を押しのけていき、これによって土壌表面に、下地溝Ｇが形成される。このとき、第一作溝体１０の前端１３が傾斜形成されているので、土壌に対する抵抗を少なくすることができ、そのため、作溝効率を向上させることができる。また、第一作溝体１０で押しのけられた土壌が、第一作溝体１０の前端１３の進行方向前側に移動させられて土壌の下側に押し付けられるようになるので、下地溝Ｇの土壌の押えが確実になって綺麗に整形される。
【００２８】
この第一作溝体１０によって押しのけられた土壌は、第一作溝体１０の前端１３の進行方向前側及び左右側に移動させられる。この移動させられた土壌は、押え面１２によって土壌表面に押し付けられる。これによって、押しのけられた土壌が下地溝Ｇに入り込んで戻る事態を抑制することができる。
【００２９】
このように形成された下地溝Ｇは、図１０（Ａ）に示すように、その横断面が、第一作溝体１０の投影面１４に対応した矩形状に形成されるようになる。フロート１ａとしてのベース体１が土壌表面に押し付けられているので、下地溝Ｇを所要のものに形成することができる。
【００３０】
そして、水田作業機Ｗを走行させていくと、第一作溝体１０によって押しのけられ、第一作溝体１０の進行方向左右側に移動させられて、押え面１２によって土壌表面に押し付けられた土壌に一対の埋設物作溝体３０が没入するようになる。この埋設物作溝体３０の移動によって、図１０（Ｂ）に示すように、下地溝Ｇの左右に一対の埋設物溝Ｕが形成され、貯留タンク（図示せず）に貯留した埋設物Ｔとしての稲の種が、埋設物作溝体３０の後側に設けた種子誘導部３１から埋設物溝Ｕ内に投入される。
【００３１】
更に水田作業機Ｗを走行させていくと、第一作溝体１０の走行方向後側に、第一作溝体１０から所望距離離間させられて設けられた第二作溝体２０が、下地溝Ｇの土壌を更に押しのけていき、下地溝Ｇの深さを深く且つ幅を広くしていく。これによって下地溝Ｇが排水溝Ｄに整形される。このとき、第二作溝体２０の前端２１が傾斜形成されているので、土壌に対する抵抗を少なくすることができ、そのため、作溝効率を向上させることができる。また、第二作溝体２０は、予めある程度の深さ及び幅に形成された下地溝Ｇの土壌を更に押しのけるだけなので、それだけ、第二作溝体２０が土壌に接する面積は小さくなり、この点でも、土壌に対する抵抗が小さくなる。即ち、土壌を二度押しのけて排水溝Ｄを形成することになるので、大きな作溝体で一度に土壌を押しのけて排水溝Ｄを形成する場合に比較して、第一作溝体１０及び第二作溝体２０夫々における土壌に対する抵抗を小さくすることができ、そのため、作溝効率を向上させることができる。更に、第二作溝体２０で押しのけられた土壌が第二作溝体２０の前端２１の進行方向前側に移動させられて土壌の下側に押し付けられるようになるので、排水溝Ｄの土壌の押えが確実になって綺麗に整形される。
【００３２】
この第二作溝体２０によって押しのけられ、第二作溝体２０の進行方向左右側に移動させられた土壌を、ウイング２６が押えるので、押しのけられた土壌が排水溝Ｄに入り込んで戻る事態を抑制することができ、排水溝Ｄの土壌の押えが確実になって綺麗に整形されて崩れにくくなる。また、ウイング２６の外面２６ａを側面２４の延長面に沿わせて形成しているので、より一層排水溝Ｄを綺麗に整形することができる。
【００３３】
このように整形された排水溝Ｄは、図１０（Ｃ）に示すように、その横断面が、第二作溝体２０の投影面２３に対応した下端が尖ったＶ字形状に整形されるので、水が流れやすく、排水効率を向上させることができる。フロート１ａとしてのベース体１が土壌表面に押し付けられているので、排水溝Ｄを所要のものに形成することができる。この排水溝Ｄは、下地溝Ｇを作ってから、これを整形して形成されるので、即ち、排水溝Ｄは、第一作溝体１０及び第二作溝体２０により土壌が二度押しのけられて形成されるので、排水溝Ｄを元の地面ＧＬに対する深さを深く且つ幅広に形成できるとともに、排水溝Ｄの土壌の押えが確実になって綺麗に整形されて崩れにくくなる。このため、排水溝Ｄが所要のものになって、この排水溝Ｄからの排水を十分に行なうことができるようになり、排水効率を向上させることができる。
【００３４】
また、このとき、ベース体１に設けられた覆土体４０が、第二作溝体２０によって押しのけられ第二作溝体２０の進行方向左右側に移動させられた土壌の一部を、ベース体１の中心線３側に押し戻すように移動させる。これによって、図１０（Ｃ）に示すように、第二作溝体２０によって押しのけられた土壌は、その一部が埋設物溝Ｕに覆い被さるようになり、埋設物Ｔが埋設物溝Ｕに埋設される。
【００３５】
このようにして、水田の土壌に、埋設物Ｔを埋設するとともに排水溝Ｄを形成する。埋設物Ｔは、適度な量の水分が必要であり、水分が多すぎても少なすぎても埋設物Ｔの育成に支障が出る。本発明の装置Ｓで形成された排水溝Ｄは、元の地面ＧＬに対する深さが深く且つ幅広に形成されるとともに、土壌の押えが確実になって綺麗に整形されて崩れにくくなっているので、排水効率が向上される。また、埋設物Ｔが埋設される埋設物溝Ｕは、排水溝Ｄの左右に必ず形成されるようになるので、埋設物溝Ｕの排水をより確実に行なうことができる。即ち、排水溝Ｄによって、埋設物溝Ｕの排水を十分に行なうことができるようになり、そのため、埋設物Ｔの水分調整を確実に行なうことができ、埋設物Ｔの育成を促進させることができる。
【００３６】
このように、排水溝Ｄを形成しながら水田作業機Ｗを走行させていくと、水田作業機Ｗは、水田の畦際に至る。この場合、水田作業機Ｗを旋回させて、走行方向を真逆にし、形成した排水溝Ｄに沿うように水田作業機Ｗを走行させ、形成した排水溝Ｄから一定距離離間させた位置に、新たな排水溝Ｄを形成していく。このとき、ベース体１をフロート１ａで構成しているので、従来のように、排水溝形成装置Ｓを、アームを介して水田作業機Ｗの後部に取り付けた場合と比較して、排水溝形成装置Ｓが水田作業機Ｗの後部に然程突出して位置されず、そのため、水田作業機Ｗが畦際で旋回するときでも、小回りが利き、そのため、作業効率を向上させることができる。
【００３７】
尚、上記実施の形態において、ベース体１をフロート１ａで構成したが、必ずしもこれに限定されるものではなく、例えば、ベース体１をフロート１ａに取り付けても良く、また、ベース体１を水田作業機Ｗのフロート１ａ以外の部位に取り付けても良く、適宜変更して差支えない。
また、上記実施の形態において、第一作溝体１０と第二作溝体２０とを所望距離離間させて設けたが、必ずしもこれに限定されるものではなく、第一作溝体１０の後端と第二作溝体２０の前端２１とを連設して設けても良く、適宜変更して差支えない。
更に、上記実施の形態において、第一作溝体１０の投影面１４の形状を矩形状になるように形成したが、必ずしもこれに限定されるものではなく、例えば、第二作溝体２０の投影面２３の形状と同様に、下端が尖った三角形状になるように形成しても良く、適宜変更して差支えない。
【００３８】
尚また、上記実施の形態において、押え面１２をベース体１の下面２で形成したが、必ずしもこれに限定されるものではなく、例えば、図１１に示すように、ベース体１の下面２に、ベース体１の下面２から膨出形成され第一作溝体１０によって押しのけられた土壌を押える押え面１２を有した押え部１５を設けて構成しても良く、適宜変更して差支えない。
【図面の簡単な説明】
【００３９】
【図１】本発明の実施の形態に係る水田作業機の排水溝形成装置を示す斜視図である。
【図２】本発明の実施の形態に係る水田作業機の排水溝形成装置を示す底面図である。
【図３】本発明の実施の形態に係る水田作業機の排水溝形成装置を示す側面図である。
【図４】図２中、Ａ−Ａ線断面図である。
【図５】本発明の実施の形態に係る水田作業機の排水溝形成装置を示す背面図である。
【図６】本発明の実施の形態に係る第二作溝体を示す斜視図である。
【図７】本発明の実施の形態に係る水田作業機の排水溝形成装置を水田作業機に設けた状態で示す一部拡大平面図である。
【図８】本発明の実施の形態に係る水田作業機の排水溝形成装置を水田作業機に設けた状態で示す一部拡大背面図である。
【図９】本発明の実施の形態に係る水田作業機の排水溝形成装置を水田作業機に設けた状態で示す一部拡大側面図である。
【図１０】本発明の実施の形態に係る水田作業機の排水溝形成装置で形成される溝を示し、（Ａ）は第一作溝体で形成された下地溝、（Ｂ）は埋設物作溝体で形成された埋設物溝、（Ｃ）は第二作溝体で形成された排水溝を示す図である。
【図１１】ベース体の下面に押え部を設けた水田作業機の排水溝形成装置を示す斜視図である。
【図１２】従来の水田作業機の排水溝形成装置の一例を示し、（Ａ）は水田作業機に取り付けた状態を示す平面図、（Ｂ）は水田作業機に取り付けた状態を示す一部拡大背面図である。
【図１３】従来の水田作業機の排水溝形成装置で形成された排水溝を示す図である。
【符号の説明】
【００４０】
Ｓ  水田作業機の排水溝形成装置
Ｗ  水田作業機
Ｆ  機枠
Ｆａ  取付部材
Ｔ  埋設物
Ｇ  下地溝
Ｕ  埋設物溝
Ｄ  排水溝
１  ベース体
１ａ  フロート
２  下面
３  中心線
４  ビス
５  後端部
１０  第一作溝体
１１  上端
１２  押え面
１３  前端
１４  投影面
２０  第二作溝体
２１  前端
２２  ビス
２３  投影面
２４  側面
２５  上端
２６  ウイング
３０  埋設物作溝体
４０  覆土体
【図１】
2010124775.tif 000003
【図２】
2010124775.tif 000004
【図３】
2010124775.tif 000005
【図４】
2010124775.tif 000006
【図５】
2010124775.tif 000007
【図６】
2010124775.tif 000008
【図７】
2010124775.tif 000009
【図８】
2010124775.tif 000010
【図９】
2010124775.tif 000011
【図１０】
2010124775.tif 000012
【図１１】
2010124775.tif 000013
【図１２】
2010124775.tif 000014
【図１３】
2010124775.tif 000015